(57)【要約】【課題】  データを記録する記録媒体として複数の記録媒体を取り扱うことのできるデータ記録装置において、一方の記録媒体に対するデータの記録動作中に当該一方の記録媒体における記録可能な容量を増加できるようにする。【解決手段】  データ記録再生装置１では、アンテナ５で受信した電波、または、ビデオ入力端子２３を介して外部から入力されるデータが、Ａ／Ｄ変換部２１によりデジタルデータに変換されて、ハードディスクドライブ３１の中のハードディスクに記録される。ハードディスクドライブ３１が、ハードディスクにＤＶＤ１枚分のデータを記録するたびに、その旨が出力部２００に表示される。そして、リモコン６０に対してＤＶＤ１００へのデータのコピーを指示する旨の操作がなされると、ハードディスクに記録されたデータの中で、ＤＶＤ１枚分の容量のデータがＤＶＤ１００にコピーされる。【選択図】        図１
2006114187.tif 000002
【特許請求の範囲】
【請求項１】
外部からのデータを受信する受信手段と、
前記受信手段の受信したデータを第１の記録媒体に記録する第１の記録手段と、
所定の記憶容量を有し、前記第１の記録媒体とは異なる第２の記録媒体にデータを記録する、第２の記録手段と、
前記第１の記録手段および前記第２の記録手段におけるデータの記録動作を制御する記録制御手段と、
前記記録制御手段が、前記第１の記録手段が前記受信手段の受信したデータを前記所定の記憶容量分を記録したと判断した場合に、その旨を報知する報知手段と、
情報の入力を受付ける受付手段とを備え、
前記第２の記録媒体は、前記第２の記録手段に対して着脱可能に構成され、
前記記録制御手段は、前記第１の記録手段に前記受信手段の受信したデータを記録させている期間中に、前記報知手段が前記報知を行なった場合に、前記受付手段に対して所定の情報が入力されたことを条件として、前記第１の記録手段に前記受信手段が受信したデータを記録させることと並行して、前記第２の記録手段に、前記第１の記録手段に記録された前記所定の記憶容量分のデータを記録させる、データ記録装置。
【請求項２】
外部からのデータを受信する受信手段と、
前記受信手段の受信したデータを第１の記録媒体に記録する第１の記録手段と、
前記第１の記録媒体とは異なる第２の記録媒体にデータを記録する第２の記録手段と、
前記第１の記録手段および前記第２の記録手段におけるデータの記録動作を制御する記録制御手段とを備え、
前記記録制御手段は、前記第１の記録手段に前記受信手段の受信したデータを記録させている期間中に、前記第１の記録手段が前記受信手段の受信したデータを所定の記憶容量分記録したと判断すると、前記第１の記録手段に前記受信手段が受信したデータを記録させることと並行して、前記第２の記録手段に、前記第１の記録手段に記録された前記所定の記憶容量分のデータを記録させる、データ記録装置。
【請求項３】
前記第２の記録媒体は、前記第２の記録手段に対して着脱可能に構成され、
前記所定の記憶容量は、前記第２の記録媒体の記憶容量である、請求項２に記載のデータ記録装置。
【請求項４】
前記記録制御手段は、前記第１の記録手段に記録された前記所定の記憶容量分のデータを前記第２の記録手段に記録させた後、前記第１の記録手段に、前記第１の記録手段における前記所定の記憶容量分のデータが記録されていた記憶領域のデータを削除させる、請求項２または請求項３に記載のデータ記録装置。
【請求項５】
前記記録制御手段が、前記第１の記録手段が前記受信手段の受信したデータを所定の記憶容量分を記録したと判断した場合に、その旨を報知する報知手段と、
情報の入力を受付ける受付手段とをさらに備え、
前記記録制御手段は、前記報知手段による報知の後に、前記受付手段に対して所定の情報が入力されたことを条件として、前記第２の記録手段に、前記第１の記録手段に記録された前記所定の記憶容量分のデータを記録させる、請求項２〜請求項４のいずれかに記載のデータ記録装置。
【請求項６】
第１の記録媒体と、前記第１の記録媒体とは異なる第２の記録媒体にデータを記録することのできるデータ記録装置の制御方法であって、
外部からのデータを受信するステップと、
前記受信したデータを前記第１の記録媒体に記録するステップと、
前記第１の記録媒体に前記受信したデータを記録させている期間中に、前記第１の記録媒体に前記受信したデータが所定の記憶容量分記録されたか否かを判断するステップと、
前記第１の記録媒体に前記受信したデータが前記所定の記憶容量分記録されたと判断した場合に、前記第１の記録媒体に対する前記受信したデータの記録と並行して、前記第２の記録媒体に、前記第１の記録媒体に記録された前記所定の記憶容量分のデータを記録させるステップとを備える、データ記録装置の制御方法。
【発明の詳細な説明】
【技術分野】
【０００１】
本発明は、データ記録装置およびその制御方法に関し、特に、データを記録する記録媒体として複数の記録媒体を取り扱うことのできるデータ記録装置およびその制御方法に関する。
【背景技術】
【０００２】
従来から、データを記録する記録媒体として複数の記録媒体を取り扱うことのできるデータ記録装置として、装置本体内に備えられたハードディスクと、装置に対して着脱可能な記録媒体であるＤＶＤ（Digital Versatile Disk）等の、複数の記録媒体に選択的に、録画等のデータの記録ができる装置が普及している。
【０００３】
そして、このようなデータ記録装置について、ユーザが利用する際の利便性を向上させるべく、種々の技術が開示されてきている。
【０００４】
たとえば、特許文献１には、ハードディスク装置とＤＶＤ装置の複合装置において、適宜データを変換する手段を備えさせることにより、ＨＤ（High Definition）放送をハードディスクおよびＤＶＤに記録可能とする技術が開示されている。
【０００５】
また、特許文献２には、両面に記録可能なＤＶＤの一方の面にデータを記録しているときに、記録残容量が所定容量を下回ると、ハードディスクにも同一のデータを記録し、ＤＶＤの他方の面におけるデータの記録が開始されると、当該ＤＶＤの他方の面に、ハードディスクに記録され、かつ、一方の面に記録されたデータの一部と重複するようなデータをも、記録させる技術が開示されている。
【０００６】
近年、このようなデータ記録装置に搭載されるハードディスクの容量が格段に大きくなっている。そして、特許文献３には、ハードディスクに記録されたデータを容易にＤＶＤにコピーできるように、ハードディスクにデータを記録する際、記録したデータ量がＤＶＤ１枚分の容量に達したか否かが判断され、達したと判断されると、ハードディスクの管理情報にエントリーポイント情報が設定される技術が開示されている。
【特許文献１】特開２００４−１５９２２５号公報
【特許文献２】特開２００２−１５０６８３号公報
【特許文献３】特開２００３−１０９３００号公報
【発明の開示】
【発明が解決しようとする課題】
【０００７】
なお、従来では、データ記録装置に搭載されるハードディスクの容量が大きくなったことにより、ユーザは、ハードディスクの容量を越えるような長い時間であっても、データ記録装置に対して、ハードディスクに対するデータの記録を行なわせたままの状態で、希望する番組のデータが確実に記録されることを希望するようになった。
【０００８】
これに対し、特許文献３に記載の技術では、ハードディスクに対するデータの記録が終了した状態であれば、エントリポイントを利用してＤＶＤ−ＲＡＭ（Digital Versatile Disk Read Only Memory）にハードディスクに記憶されたデータを記録することができるが、ハードディスクドに対するデータの記録動作中に、ハードディスクに記録されたデータをＤＶＤに記録する等して、ハードディスクにおいて記録可能な容量を確保したり増加させたりすることは困難であった。
【０００９】
本発明は、かかる実情に鑑み考え出されたものであり、その目的は、データを記録する記録媒体として複数の記録媒体を取り扱うことのできるデータ記録装置において、一方の記録媒体に対するデータの記録動作中に当該一方の記録媒体における記録可能な容量を増加できるようにすることである。
【課題を解決するための手段】
【００１０】
本発明の或る局面に従ったデータ記録装置は、外部からのデータを受信する受信手段と、前記受信手段の受信したデータを第１の記録媒体に記録する第１の記録手段と、所定の記憶容量を有し、前記第１の記録媒体とは異なる第２の記録媒体にデータを記録する、第２の記録手段と、前記第１の記録手段および前記第２の記録手段におけるデータの記録動作を制御する記録制御手段と、前記記録制御手段が、前記第１の記録手段が前記受信手段の受信したデータを前記所定の記憶容量分を記録したと判断した場合に、その旨を報知する報知手段と、情報の入力を受付ける受付手段とを備え、前記第２の記録媒体は、前記第２の記録手段に対して着脱可能に構成され、前記記録制御手段は、前記第１の記録手段に前記受信手段の受信したデータを記録させている期間中に、前記報知手段が前記報知を行なった場合に、前記受付手段に対して所定の情報が入力されたことを条件として、前記第１の記録手段に前記受信手段が受信したデータを記録させることと並行して、前記第２の記録手段に、前記第１の記録手段に記録された前記所定の記憶容量分のデータを記録させることを特徴とする。
【００１１】
本発明の他の局面に従ったデータ記録装置は、外部からのデータを受信する受信手段と、前記受信手段の受信したデータを第１の記録媒体に記録する第１の記録手段と、前記第１の記録媒体とは異なる第２の記録媒体にデータを記録する第２の記録手段と、前記第１の記録手段および前記第２の記録手段におけるデータの記録動作を制御する記録制御手段とを備え、前記記録制御手段は、前記第１の記録手段に前記受信手段の受信したデータを記録させている期間中に、前記第１の記録手段が前記受信手段の受信したデータを所定の記憶容量分記録したと判断すると、前記第１の記録手段に前記受信手段が受信したデータを記録させることと並行して、前記第２の記録手段に、前記第１の記録手段に記録された前記所定の記憶容量分のデータを記録させることを特徴とする。
【００１２】
また、本発明に従ったデータ記録装置では、前記第２の記録媒体は、前記第２の記録手段に対して着脱可能に構成され、前記所定の記憶容量は、前記第２の記録媒体の記憶容量であることが好ましい。
【００１３】
また、本発明に従ったデータ記録装置では、前記記録制御手段は、前記第１の記録手段に記録された前記所定の記憶容量分のデータを前記第２の記録手段に記録させた後、前記第１の記録手段に、前記第１の記録手段における前記所定の記憶容量分のデータが記録されていた記憶領域のデータを削除させることが好ましい。
【００１４】
また、本発明に従ったデータ記録装置では、前記記録制御手段が、前記第１の記録手段が前記受信手段の受信したデータを所定の記憶容量分を記録したと判断した場合に、その旨を報知する報知手段と、情報の入力を受付ける受付手段とをさらに備え、前記記録制御手段は、前記報知手段による報知の後に、前記受付手段に対して所定の情報が入力されたことを条件として、前記第２の記録手段に、前記第１の記録手段に記録された前記所定の記憶容量分のデータを記録させることが好ましい。
【００１５】
本発明に従ったデータ記録装置の制御方法は、第１の記録媒体と、前記第１の記録媒体とは異なる第２の記録媒体にデータを記録することのできるデータ記録装置の制御方法であって、外部からのデータを受信するステップと、前記受信したデータを前記第１の記録媒体に記録するステップと、前記第１の記録媒体に前記受信したデータを記録させている期間中に、前記第１の記録媒体に前記受信したデータが所定の記憶容量分記録されたか否かを判断するステップと、前記第１の記録媒体に前記受信したデータが前記所定の記憶容量分記録されたと判断した場合に、前記第１の記録媒体に対する前記受信したデータの記録と並行して、前記第２の記録媒体に、前記第１の記録媒体に記録された前記所定の記憶容量分のデータを記録させるステップとを備えることを特徴とする。
【発明の効果】
【００１６】
本発明によると、第１の記録媒体にデータが記録されている最中であっても、当該第１の記録媒体に所定の記憶容量のデータが記録されたかどうかが判断され、そして、所定の記憶容量のデータが記録されたと判断された場合には、第１の記憶媒体へのデータの記録と並行して、第１の記録媒体に記録されたデータが第２の記録媒体へコピーされるため、第１の記録媒体に対するデータの記録中であっても、当該第１の記録媒体における記憶可能な容量を増やすことができる。
【００１７】
したがって、データ記録装置において、第１の記録媒体へのデータの記録が行なわれている状態のままで、より長い時間、データの記録が可能となる。
【００１８】
また、本発明の或る局面によると、第２の記録媒体が、第２の記録手段に対して着脱可能に構成されるため、第１の記録媒体に記録されたデータをコピーするために、複数の第２の記録媒体を順番に用いることにより、より多く、第１の記録媒体における記録可能な容量を増やすことができる。
【００１９】
また、本発明の或る局面によると、第１の記録媒体において、第２の記録媒体にコピーされたデータを記録されていた領域のデータが、第２の記録媒体へデータがコピーされた後消去される。このため、第１の記録媒体におけるデータの管理が容易になる。
【００２０】
また、本発明の或る局面によると、ユーザが希望したときのみ、第１の記録媒体に記録されたデータの第２の記録媒体へのデータコピーが行なわれる。これにより、保存する必要の無いデータについて、無駄に第２の記録媒体へのコピーが行なわれることを回避できる。
【発明を実施するための最良の形態】
【００２１】
以下、図面を参照しつつ、本発明のデータ記録装置の一実施の形態であるデータ記録再生装置について説明する。なお、同じ構成要素には、同じ符号を付し説明を繰返さない。
【００２２】
図１に、本発明の一実施の形態であるデータ記録再生装置１の制御ブロック図を示す。
【００２３】
データ記録再生装置１は、基本的に、外部のリモートコントロール部（リモコン）６０に対する操作に基づいて動作する。また、データ記録再生装置１は、当該データ記録再生装置１の動作を全体的に制御するＣＰＵ（Central Processing Unit）１０、外部からのデータを受信するためのアンテナ５、アンテナ５から受信したデータをエンコードするエンコーダ部２、エンコーダ部２においてエンコードされたデータを記録または再生するにデータを蓄積する記録再生部３、エンコーダ部２においてエンコードされたデータを再生するためにデコードするデコーダ部４、および、リモコン６０から赤外線等で送られる外部からの信号を受信しＣＰＵ１０に伝達するリモートコントローラインターフェイス（リモコンＩ／Ｆ）６を含む。
【００２４】
エンコーダ部２では、テレビチューナ（ＴＶチューナ）２０によりアンテナ５で受信する電波の周波数が調整され、アナログ／デジタル（Ａ／Ｄ）変換部２１によりアンテナ５で受信した電波またはビデオ入力端子２３を介して外部から入力されるデータのＡ／Ｄ変換がなされ、エンコーダ２２によりＡ／Ｄ変換後のデータのエンコードがなされる。Ａ／Ｄ変換部２１にはスイッチ２１Ａが備えられている。スイッチ２１Ａは、一端をＡ／Ｄ変換部２１側の端子２１Ｐに固定され、他端を、リモコン６０からの入力内容に基づいて、ＴＶチューナ２０側の端子２０Ｘまたはビデオ入力端子２３側の端子２３Ｘに接続される。
【００２５】
記録再生部３では、エンコーダ部２でエンコードされたデータが、バッファであるＲＡＭ（Random Access Memory）３０で一時的に記録される。再生切換部３２は、ＲＡＭ３０に記憶されたデータを、そのまま再生させるか、ハードディスクドライブ（ＨＤＤ）３１に書込むか、または、ＤＶＤドライブ３３にセットされたＤＶＤ１００に書込むかを切り替える。再生切換部３２が、ＲＡＭ３０に記憶されたデータを、そのまま再生させるか、ＨＤＤ３１に書込むかは、ＤＶＤ１００に書込むかは、ＣＰＵ１０により制御される。
【００２６】
デコーダ部４では、デコーダ４０により再生切換部３２から送られるデータ（ＲＡＭ３０、ＨＤＤ３１、または、ＤＶＤ１００に記憶されたデータ）がデコードされ、デジタル／アナログ変換部（Ｄ／Ａ変換部）４１によりデコードされたデータがアナログデータに変換される。このアナログデータは、外部の出力部２００等のモニタおよび／スピーカに出力され、再生される。
【００２７】
図２は、データ記録再生装置１において、ハードディスクドライブ３１のハードディスクに、Ａ／Ｄ変換部２１から入力されるデータを記録する際に実行される録画処理のフローチャートである。以下、図２を参照して、ハードディスクドライブ３１のハードディスクにデータが記録される際のデータ記録再生装置１の動作を説明する。
【００２８】
リモコン６０においてハードディスクにデータを記録するための操作がなされると、ＣＰＵ１０は、ステップＳ（以下、「ステップ」を省略する）１で、ハードディスクドライブ３１に、ハードディスクへのデータの記録を開始させる。なお、このとき、どのような番組が記録されるか、つまり、ＴＶチューナ２０およびスイッチ２１Ａがどのように制御されるかは、上記した「記録するための操作」に基づいて、適宜、決定される。
【００２９】
次に、Ｓ２で、ＣＰＵ１０は、ハードディスクに記録されたデータの容量をチェックする。そして、Ｓ３で、ＣＰＵ１０は、Ｓ２でチェックした容量が、ＤＶＤ１枚分以上となったか否かを判断し、ＤＶＤ１枚分以上となったと判断するとＳ４に処理を進め、まだなっていないと判断するとＳ２に処理を戻す。なお、Ｓ２における処理では、それ以前にＳ３でＤＶＤ１枚分以上になったと判断されたことがあり、かつ、後述するＳ６以降の処理でハードディスクのデータがＤＶＤ１００にダビングされたことがある場合には、ＤＶＤ１００にダビングされた分の容量を差引いた容量が、チェックされる。
【００３０】
Ｓ４では、ＣＰＵ１０は、出力部２００に、「ハードディスクにＤＶＤ１枚分以上の容量のデータが記録され、ハードディスクに記録されたＤＶＤ１枚分の容量のデータをＤＶＤ１００にダビング（コピー）することが可能であるため、このようなダビングを希望するか否か」を問合せるメッセージを表示させる。
【００３１】
そして、Ｓ５で、ＣＰＵ１０は、Ｓ４で表示させたメッセージに応じて、リモコン６０に対して、ハードディスクに記録されたデータのＤＶＤ１００へのダビングを指示する操作がなされたか否かを判断し、そのような操作がなされたと判断すると、Ｓ６に処理を進める。一方、ダビングを希望しない旨の操作がなされたと判断すると、ＣＰＵ１０は、Ｓ２に処理を戻す。なお、Ｓ５における判断は、リモコン６０がユーザの操作に基づいて送信し、リモコンＩ／Ｆ６によって受信された、信号の内容が解析されることによって実行される。
【００３２】
Ｓ６で、ＣＰＵ１０は、ハードディスクドライブ３１のハードディスクに対するＡ／Ｄ変換部２１から送られるデータの記録と並行して、ハードディスクに記録されているデータをＤＶＤ１００へコピーする。そして、ＤＶＤ１００へのデータのコピーが終了すると、ＣＰＵ１０は、Ｓ７に処理を進める。
【００３３】
Ｓ６においてＤＶＤ１００にコピーされるデータは、ハードディスクにおいて前回ＤＶＤ１００へコピーされたデータの次に記録されている領域のデータであり、また、初めてＳ６の処理がなされる場合には、Ｓ１で記録を開始されたところから始まるＤＶＤ１枚分の容量のデータである。また、Ｓ６の処理は、ＤＶＤドライブ３３にＤＶＤ１００がセットされていることを確認した後で、行なわれる。つまり、ＣＰＵ１０は、データのコピーを開始する前に、ＤＶＤドライブ３３にＤＶＤ１００がセットされているか否かをチェックし、セットされていることを認識して初めて、データのコピーを実行する。なお、ＤＶＤ１００がセットされていないと判断した場合には、ＣＰＵ１０は、出力部２００に、ＤＶＤドライブ３３にＤＶＤ１００をセットすることを促すメッセージを表示させることが好ましい。
【００３４】
Ｓ７では、ＣＰＵ１０は、リモコン６０に対して、ハードディスクの、ＤＶＤ１００にダビングされたデータが記録されていた領域のデータを削除することを指示する操作がなされたか否かを判断し、そのような操作がなされたと判断すると、Ｓ８に処理を進める。一方、データの削除を希望しない旨の操作がなされたと判断すると、ＣＰＵ１０は、Ｓ９に処理を進める。なお、Ｓ７における判断は、リモコン６０がユーザの操作に基づいて送信し、リモコンＩ／Ｆ６によって受信された、信号の内容が解析されることによって実行される。
【００３５】
また、Ｓ６におけるデータのコピーが終了した時点で、ＣＰＵ１０は、出力部２００に、ＤＶＤ１００へのデータのコピーが終了したこと、および／または、ＤＶＤ１００にコピーされたデータを記録していたハードディスク上の領域のデータの削除を希望するか否かを問合せるメッセージを表示させることが好ましい。
【００３６】
Ｓ８では、ＣＰＵ１０は、ハードディスクドライブ３１に、ハードディスクにおける、直前のＳ６においてＤＶＤ１００にコピーしたデータを保存していた領域のデータを削除させ、Ｓ９に処理を進める。
【００３７】
Ｓ９では、ＣＰＵ１０は、ハードディスクへのデータの記録を終了するための条件が成立したか否かを判断し、成立したと判断するとＳ１０へ、まだ成立していないと判断するとＳ２へ、それぞれ処理を進める。なお、データの記録を終了するための条件が成立することとは、たとえば、リモコンＩ／Ｆ６によってデータの記録を終了させる信号が受信されたことを意味し、また、当該データの記録が予約されたものであれば、予め定められ終了時刻となったことを意味する。
【００３８】
Ｓ１０では、ＣＰＵ１０は、ハードディスクドライブ３１にデータの記録を停止させて、録画処理を終了させる。
【００３９】
以上説明した本実施の形態では、ハードディスクドライブ３１がハードディスクにＤＶＤ１枚分のデータを記録するたびに、その旨が出力部２００に表示され、そして、リモコン６０に対して、ＤＶＤ１００へのデータのコピーを指示する旨の操作がなされると、ハードディスクに記録されたデータの中で、ＤＶＤ１枚分の容量のデータがＤＶＤ１００にコピーされる。このことを、図３を用いてさらに具体的に説明する。
【００４０】
図３を参照して、領域５００として模式的に示されたハードディスクの記憶領域は、左端から右方向に向けてデータを記録されているものとする。
【００４１】
データ記録再生装置１では、ハードディスクにおいて領域Ａで示すようにＤＶＤ１枚分の容量のデータが記録された時点で、出力部２００に、Ｓ４で行なったようなメッセージの表示（ダビング可能表示）がなされる。そして、Ｓ５の処理として説明したように、リモコン６０に対してダビングを指示する操作がなされると、領域Ａに対応するデータが、ＤＶＤドライブ３３にセットされた１枚目のＤＶＤ（ＤＶＤ１００Ａとする）にコピーされる。このようなコピーが終了した後、Ｓ７の処理として説明したように、リモコン６０に対して、データの削除を指示する操作がなされると、ハードディスクドライブ３１は、ハードディスクの領域Ａに対応する領域のデータを削除する。
【００４２】
また、データ記録再生装置１では、ハードディスクにおいて、領域Ｂとして示すように、さらにＤＶＤ１枚分の容量のデータが記録されると、再度、出力部２００に、Ｓ４で行なったようなメッセージの表示がなされる。そして、リモコン６０に対して上記したようなダビングを指示する操作がなされると、領域Ｂに対応するデータが、ＤＶＤドライブ３３にセットされた２枚目のＤＶＤ（ＤＶＤ１００Ｂとする）にコピーされる。
【００４３】
また、データ記録再生装置１では、ハードディスクにおいて、領域Ｃとして示すように、さらにＤＶＤ１枚分の容量のデータが記録されると、再度、出力部２００に、Ｓ４で行なったようなメッセージの表示がなされる。そして、リモコン６０に対して上記したようなダビングを指示する操作がなされると、領域Ｃに対応するデータが、ＤＶＤドライブ３３にセットされた３枚目のＤＶＤ（ＤＶＤ１００Ｃとする）にコピーされる。
【００４４】
なお、領域Ｂおよび領域Ｃに記録されたデータについても、領域Ａに記録されたデータと同様に、ＤＶＤへのコピーが完了した後、リモコン６０に対して上記したようなデータの削除を指示する操作がなされると、削除される。
【００４５】
以上説明した本実施の形態では、ＤＶＤ１００（および、ＤＶＤ１００Ａ〜１００Ｃ）により、ハードディスクに記録されたデータをコピー（記録）される第２の記録手段が構成されている。なお、本発明における第２の記録手段の例としては、他に、ＣＤ（Compact Disc）、ブルーレイディスク（Blu-ray Disc）、ＨＤＤＶＤ（High Definition DVD）を挙げることができる。
【００４６】
また、以上説明した本実施の形態の録画処理では、Ｓ７で、ハードディスクドライブ３１のハードディスクの、ＤＶＤ１００にコピーされたデータを記録していた領域について、データを削除する指示がなされたか否かが判断されている。なお、Ｓ７において、さらに、当該領域についてデータの上書きを許可する情報が入力されたか否かを判断されても良い。このような場合、ＣＰＵ１０は、（リモコン６０を介して）データを上書きしてよい旨の情報が入力されたと判断すると、適宜フラグ等を立て、これにより、必要に応じて、ハードディスクドライブ３１は、ハードディスク中の当該領域にデータを上書きして記録させる。
【００４７】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】本発明のデータ記録装置の一実施の形態であるデータ記録再生装置の制御ブロック図である。
【図２】図１のデータ再生録画装置において、ハードディスクドライブのハードディスクに、Ａ／Ｄ変換部から入力されるデータが記録される際にＣＰＵが実行する録画処理のフローチャートである。
【図３】図１のデータ記録再生装置における、ハードディスクドライブのハードディスクにデータが記録される際の処理内容を説明するための図である。
【符号の説明】
【００４９】
１  データ記録再生装置、２  エンコーダ部、３  記録再生部、４  デコーダ部、５  アンテナ、６  リモコンＩ／Ｆ、１０  ＣＰＵ、２２  エンコーダ、３０  ＲＡＭ、３１  ＨＤＤ、３３  ＤＶＤドライブ、４０  デコーダ、６０  リモコン、１００，１００Ａ，１００Ｂ，１００Ｃ  ＤＶＤ、２００  出力部。
【図１】
2006114187.tif 000003
【図２】
2006114187.tif 000004
【図３】
2006114187.tif 000005